(57)【要約】【課題】装置の大型化及び複雑化を招くことなく、用紙収納箱に入りきっていない用紙を用紙収納箱内に収納することができ、また用紙端部を揃えることができ、さらにそのまま給紙カセットに装着できる用紙収納箱を提供する。【解決手段】収納箱本体９１の３つの側壁の内側にそれぞれ沿うように、レバー部９４が形成されたコ字状のガイド部材９２を収納箱本体９１に取り付ける。そして、ガイド部材９２のレバー部９４を外方に移動させて、基板部９２１の収納箱本体９１との接触点を支点として側板部９２２ａ，９２２ｂの先端部を互いに内方に回動させる。【選択図】図５
2014205568.tif 000002
【特許請求の範囲】
【請求項１】
給紙カセットに着脱自在の用紙収納箱であって、
直方体状で上面開口の収納箱本体と、
レバー部が形成された基板部と、前記基板部の長手方向の両端から前記基板部に対して略垂直方向に延出した２つの側板部とを有するコ字状のガイド部材とを備え、
前記ガイド部材は、基板部と２つの側板部とが前記収納箱本体の３つの側壁の内側にそれぞれ沿うと共に、前記レバー部が前記基板部に対して前記側板部の延出方向と逆方向に移動可能に前記収納箱本体に取り付けられ、
前記レバー部が移動すると、前記基板部の前記レバー部を挟んだ両側部に形成された、前記収納箱本体との接触点を支点として、前記基板部の、前記レバー部を挟んだ両側部とそれに連続する側板部とが互いに内方に回動することを特徴とする用紙収納箱。
【請求項２】
前記２つの側板部が、少なくとも先端部の上端に、外方に向かって上方に傾斜した案内部を有する請求項１記載の用紙収納箱。
【請求項３】
前記２つの側板部が、先端部の内側面に弾性部材を有する請求項１又は２記載の用紙収納箱。
【請求項４】
前記基板部に対向する前記収納箱本体の側壁に、前記レバー部を移動可能とする空間を形成する部分を有する請求項１〜３のいずれかに記載の用紙収納箱。
【請求項５】
請求項１〜４のいずれかに記載の用紙収納箱をカセット本体に対して着脱自在に備えることを特徴とする給紙カセット。
【請求項６】
前記用紙収納箱及び前記カセット本体の一方が突起を有し、他方が穴を有し、前記用紙収納箱が前記カセット本体に装着されると、前記突起と前記穴とが係合して前記用紙収納箱が前記カセット本体に位置決めされる請求項５記載の給紙カセット。
【請求項７】
前記用紙収納箱が前記カセット本体に装着されると、前記ガイド部材の側板部が前記カセット本体に位置決め固定される請求項５又は６記載の給紙カセット。
【請求項８】
前記２つの側板部が、先端部の下端に下方に突出した突出部を有するとともに、前記カセット本体が、前記突出部と対向する位置に切込みを有し、前記用紙収納箱が前記カセット本体に装着されると、前記突出部が前記切込みに係合し前記ガイド部材が前記カセット本体に位置決め固定される請求項７記載の給紙カセット。
【請求項９】
請求項５〜８のいずれかに記載の給紙カセットを備えたことを特徴とする画像形成装置。
【発明の詳細な説明】
【技術分野】
【０００１】
本発明は用紙収納箱及びそれを備えた給紙カセット並びに画像形成装置に関するものである。
【背景技術】
【０００２】
近年、資源の有効活用等の観点から、一方面側に画像形成がなされ、不要となった用紙を、他方面側（裏面側）を上面として給紙カセットにセットし、用紙の裏面側に再び画像形成することが広く行われている。このような用紙の裏面を再利用する場合、不要となった用紙を、画像形成装置の周辺に設置した回収箱に一旦回収し、回収箱から給紙カセットに用紙を補給することが多い。
【０００３】
ところが、回収箱に回収される用紙は、通常、無造作に回収箱に入れられるため、回収箱に用紙が入りきっていない場合がある。加えて、回収箱内の用紙端部は揃っていない。ファクシミリやプリンター、複写機などの画像形成装置において、給紙カセットに収納された用紙の端面が揃っていないと、給紙不良や画像の位置ズレが生じやすくなる。このため、回収箱から給紙カセットには端部を揃えて用紙を補給する必要があり、これまでは回収箱を揺らすなどして、用紙を回収箱内に完全に収納するとともに用紙端部を揃えていた。
【０００４】
そこで、例えば、特許文献１では、給紙カセットの底板を傾けるとともに振動させて、底板に載置した用紙がサイズの異なる用紙や不揃い状態の用紙であっても、用紙の自重と底板の振動とによって用紙端面を揃える技術が提案されている。
【先行技術文献】
【特許文献】
【０００５】
【特許文献１】特開平8-2700号公報
【発明の概要】
【発明が解決しようとする課題】
【０００６】
しかしながら、前記提案技術では、底板を振動させる機構が必要となり、装置が大型化及び複雑化する。また、回収箱から給紙カセットに用紙を移し替える作業は依然として行わなければならない。
【０００７】
本発明は、このような従来の問題に鑑みてなされたものであり、その目的は、装置の大型化及び複雑化を招くことなく、入りきっていない用紙を用紙収納箱内に収納することができ、また用紙端部を揃えることができ、さらにそのまま給紙カセットに装着できる用紙収納箱を提供することにある。
【０００８】
また、本発明の他の目的は、給紙不良や画像の位置ズレが抑制される給紙カセット及び画像形成装置を提供することにある。
【課題を解決するための手段】
【０００９】
本発明によれば、給紙カセットに着脱自在の用紙収納箱であって、直方体状で上面開口の収納箱本体と、レバー部が形成された基板部と、前記基板部の長手方向両端から前記基板部に対して略垂直方向に延出した２つの側板部とを有するコ字状のガイド部材とを備え、前記ガイド部材は、基板部と２つの側板部とが前記収納箱本体の３つの側壁の内側にそれぞれ沿うと共に、前記レバー部が前記基板部に対して前記側板部の延出方向と逆方向に移動可能に前記収納箱本体に取り付けられ、前記レバー部が移動すると、前記基板部の前記レバー部を挟んだ両側部に形成された、前記収納箱本体との接触点を支点として、前記基板部の、前記レバー部を挟んだ両側部とそれに連続する側板部とが互いに内方に回動することを特徴とする用紙収納箱が提供される。
【００１０】
ここで、用紙を用紙収納箱内に円滑に収納する観点からは、前記２つの側板部の、少なくとも先端部の上端に、外方に向かって上方に傾斜した案内部を設けるのが好ましい。
【００１１】
側板部の先端部が用紙に強く当接するのを防止する観点から、側板部の先端部の内側面に弾性部材を設けるのが好ましい。
【００１２】
また、前記基板部に対向する前記収納箱本体の側壁に、前記レバー部を移動可能とする空間を形成する部分を設けるのが好ましい。
【００１３】
また本発明によれば、前記のいずれかに記載の用紙収納箱をカセット本体に対して着脱自在に備えることを特徴とする給紙カセットが提供される。
【００１４】
ここで、前記用紙収納箱及び前記カセット本体の一方に突起を設け、他方に穴を設け、前記用紙収納箱が前記カセット本体に装着されると、前記突起と前記穴とが係合して、前記用紙収納箱が前記カセット本体に位置決めされるようにするのが好ましい。
【００１５】
また、前記用紙収納箱が前記カセット本体に装着されると、前記ガイド部材の側板部が前記カセット本体に位置決め固定されるようにするのが好ましい。
【００１６】
この場合、前記２つの側板部の先端部の下端に、下方に突出した突出部を設けるとともに、前記カセット本体の、前記突出部と対向する位置に切込みを設け、前記用紙収納箱が前記カセット本体に装着されると、前記突出部が前記切込みに係合し前記ガイド部材が前記カセット本体に位置決め固定されるようにしてもよい。
【００１７】
さらに本発明によれば、前記のいずれかに記載の給紙カセットを備えたことを特徴とする画像形成装置が提供される。
【発明の効果】
【００１８】
本発明の用紙収納箱では、コ字状のガイド部材の基板部に形成されたレバー部を外方に移動させると、前記基板部の前記収納箱本体との接触点を支点として、前記基板の、前記レバー部を挟んだ両側部とそれに連続する側板部とが互いに内方に回動するので、装置の大型化及び複雑化を招くことなく、用紙収納箱からはみ出た用紙を用紙収納箱内に移動させることができるとともに、用紙収納箱内の用紙端部を揃えることができる。また、用紙収納箱をそのまま給紙カセットに装着できるので、従来のような回収箱から給紙カセットに用紙を移し替える作業が不要となる。
【００１９】
また、本発明の給紙カセット及び画像形成装置では、給紙不良や画像の位置ズレが抑制される。
【図面の簡単な説明】
【００２０】
【図１】本発明に係る用紙収納箱、給紙カセット及び画像形成装置の一例を示す概説図である。
【図２】本発明に係る用紙収納箱の一例を示す斜視図である。
【図３】図２の用紙収納箱の組立斜視図である。
【図４】図２の用紙収納箱の底面斜視図である。
【図５】図２の用紙収納箱のレバー部材の動きを示す平面図である。
【図６】用紙収納箱から用紙がはみ出た状態を示す斜視図である。
【図７】本発明に係る用紙収納箱の他の例を示す平面図である。
【図８】本発明の給紙カセットの一例を示す組立斜視図である。
【図９】給紙カセットの給紙状態を示す斜視図である。
【発明を実施するための形態】
【００２１】
以下、本発明の用紙収納箱、給紙カセット及び画像形成装置について図に基づいてより詳しく説明するが、本発明はこれらの実施形態に何ら限定されるものではない。
【００２２】
図１に、本発明に係る用紙収納箱、給紙カセット及び画像形成装置の一実施形態を示す概説図を示す。図１の画像形成装置Ｄは所謂タンデム方式のカラープリンターである。もちろん、プリンターのほか、さらにスキャナを有する複写機、ファクシミリ又はそれらの機能を複合的に備えた複合機等にも本発明を適用することができる。また、画像形成方式としてはタンデム方式に限定されるものではなく、他の方式、例えば、回転軸の周囲に４つの現像装置を配置し、これらを順次静電潜像担持体に対向させてフルカラー画像を作成する所謂４サイクル方式、あるいは一つの現像装置でモノクロ画像を作成するモノクロ方式であっても構わない。
【００２３】
画像形成装置Ｄは、導電性を有する無端状の中間転写ベルト３３を有する。中間転写ベルト３３は、図の左右両側にそれぞれ配置された一対のローラ３１，３２に掛架されている。ローラ３２は不図示のモータに連結されており、モータの駆動によってローラ３２は反時計回りに回転し、これによって中間転写ベルト３３とこれに接するローラ３１は従動回転する。ローラ３２に支持されているベルト部分の外側には、二次転写ローラ３４が圧接している。この二次転写ローラ３４と中間転写ベルト３３とのニップ部において中間転写ベルト３３上に形成されたトナー像が、搬送されてきた用紙Ｐに転写される。
【００２４】
また、ローラ３１に支持されているベルト部分の外側には、中間転写ベルト３３の表面をクリーニングするベルトクリーニングブレード３５が設けられている。ベルトクリーニングブレード３５は、中間転写ベルト３３との当接部で、未転写の残留トナーを除去・回収する。
【００２５】
ローラ３１とローラ３２とに掛架された中間転写ベルト３３の下側には、中間転写ベルト３３の回転方向上流側から順に、イエロー（Ｙ）、マゼンタ（Ｍ）、シアン（Ｃ）、ブラック（Ｋ）の４つの作像ユニット２Ｙ，２Ｍ，２Ｃ，２Ｋ（以下、「作像ユニット２」と総称することがある）が配置されている。これらの作像ユニット２では、各色の現像剤をそれぞれ用いて対応する色のトナー像が作成される。
【００２６】
作像ユニット２は、静電潜像担持体として円筒状の感光体２０を有する。そして、感光体２０の周囲には、その回転方向（時計回り方向）に沿って順に、帯電装置２１、現像装置２３、一次転写ローラ２４、および感光体クリーニングブレード２５が配置されている。一次転写ローラ２４は中間転写ベルト３３を挟んで感光体２０に圧接し、ニップ部（一次転写領域）を形成している。また、作像ユニット２の下方には露光装置２２が配置されている。
【００２７】
この図に示す実施形態では、帯電装置２１としてローラ帯電方式のものを用いているが、帯電装置２１の種類は特に限定されるものでなく、コロナ放電方式の帯電チャージャ、ブレード状の帯電部材、ブラシ状の帯電部材等を用いてももちろん構わない。
【００２８】
中間転写ベルト３３の上方には、各色の現像装置２３に補給するトナーを収容したホッパー４Ｙ，４Ｍ，４Ｃ，４Ｋ（以下、「ホッパー４」と総称することがある）がそれぞれ配置されている。
【００２９】
また、露光装置２２の下部には、用紙Ｐを積載収容する給紙カセットＣが装置本体６から出入自在に設けられている。そして、給紙カセットＣ内には、用紙Ｐを収納した用紙収納箱９が装着されている。用紙収納箱９内の用紙Ｐは、軸９３１を中心として回動自在の押上板９３上に載置されている。そして、用紙Ｐは、押上レバー７１によって押上板９３が上方に押し上げられることにより、給紙カセットＣの、用紙給送方向先端側の上方に配置されたピックアップローラ８３に当接する。ピックアップローラ８３よりも用紙給送方向下流側には給紙ローラ８１と、給紙ローラ８１に圧接する捌きローラ８２とが設けられている。用紙収納箱９に積載収容された用紙Ｐは、反時計回りに回転するピックアップローラ８３によって最上紙から順に給紙ローラ８１と捌きローラ８２とのニップ部に引き出される。そして、反時計回りに回転する給紙ローラ８１と時計回りに回転する捌きローラ８２とによって、用紙Ｐが重なって引き出された場合であっても確実に１枚ずつに分けられて搬送路に送り出される。給紙カセットＣから送り出された用紙Ｐは、レジストローラ対５２に搬送され、ここで所定のタイミングで二次転写領域に送り出される。なお、用紙収納箱９及び給紙カセットＣの詳細については後述する。
【００３０】
画像形成装置Ｄは、１色のトナー（例えばブラック）を用いてモノクロ画像を形成するモノクロモードと、４色のトナーを用いてカラー画像を形成するカラーモードとに切り替え可能となっている。
【００３１】
カラーモードにおける画像形成動作例について簡単に説明すると、まず、各作像ユニット２において、所定の周速度で回転駆動される感光体２０の外周面が帯電装置２１により帯電される。次に、帯電された感光体２０の表面に、画像情報に応じた光が露光装置２２から投射されて静電潜像が形成される。続いて、この静電潜像は、現像装置２３から供給される現像剤としてのトナーにより顕在化される。このようにして感光体２０の表面に形成された各色のトナー像は、感光体２０の回転によって一次転写領域に達すると、イエロー、マゼンタ、シアン、ブラックの順で、感光体２０から中間転写ベルト３３上へ転写（一次転写）されて重ねられる。
【００３２】
中間転写ベルト３３に転写されることなく感光体２０上に残った残留トナーは、感光体クリーニングブレード２５で掻き取られ、感光体２０の外周面から除去される。
【００３３】
重ね合わされた４色のトナー像は、中間転写ベルト３３によって二次転写領域に搬送される。一方、そのタイミングに合わせて、レジストローラ対５２から二次転写領域に用紙Ｐが搬送される。そして、４色のトナー像が、二次転写領域において中間転写ベルト３３から用紙Ｐに転写（二次転写）される。４色のトナー像が転写された用紙Ｐは、定着装置１へ搬送される。定着装置１において用紙Ｐは、定着ローラ１１と加圧ローラ１２とのニップ部を通過する。この間に用紙Ｐは加熱・加圧され、用紙Ｐ上のトナー像は用紙Ｐに溶融定着する。トナー像が定着した用紙Ｐは排出ローラ対５３によって排紙トレイ５４に排出される。
【００３４】
一方、用紙Ｐに転写されることなく中間転写ベルト３３上に残った残留トナーは、ベルトクリーニングブレード３５で掻き取られ、中間転写ベルト３３の外周面から除去される。その後、各感光体２０及び中間転写ベルト３３の回転駆動が停止される。
【００３５】
図２に用紙収納箱９の斜視図、図３に組立斜視図、図４に底面斜視図をそれぞれ示す。図３に示すように、用紙収納箱９は、弾性変形可能なコ字状のガイド部材９２と、直方体状で上面開口の収納箱本体９１とを有する。ガイド部材９２は、中央にレバー部９４が形成された長方形の基板部９２１と、基板部９２１の長手方向両端から、基板部９２１に対して垂直方向に延出した側板部９２２ａ，９２２ｂとを有する。基板部９２１と側板部９２２ａ，９２２ｂとは一体成形してもよいし、それぞれ別に作製したものを接合してもよい。
【００３６】
基板部９２１に形成されたレバー部９４は、基板部９２１から外方、すなわち側板部９２２ａ，９２２ｂの延出方向と逆方向に若干突出し、上端に摘み９４１が形成され下端に突出部９４２が形成されている。また、側板部９２２ａ，９２２ｂの先端部の上端には、外方に向かって上方に傾斜した案内部９２３ａ，９２３ｂが形成されている。そして、案内部９２３ａ，９２３ｂから側板部９２２ａ，９２２ｂの先端にかけて弾性部材９２５ａ，９２５ｂが取り付けられている。弾性部材９２５ａ，９２５ｂは、側板部９２２ａ，９２２ｂの先端が用紙端部に当接する際の用紙Ｐに与える衝撃を和らげて用紙折れなどの発生を防止すると共に、収納箱本体９１内に入りきっていない用紙Ｐを案内部９２３ａ，９２３ｂと共に収納箱本体９１内に円滑に移動させ収納する。このような作用を奏させるためには、弾性部材９２５ａ，９２５ｂとしては、例えば、スポンジなどの多孔質で柔らかい部材の表面に、滑り性の高いポリエステルフィルムなどのフィルムを積層したものが好適に使用される。
【００３７】
図４に示すように、収納箱本体９１の底面には、用紙収納箱９をカセット本体７に装着したときにカセット本体７の押上レバー７１と対向する位置に、押上レバー７１よりも外形の大きい開口部９１２が形成されている。また、収納箱本体９１にガイド部材９２が取り付けられたときに、レバー部９４の突出部９４２及び側板部９２２ａ，９２２ｂの突出部９２４ａ，９２４ｂがそれぞれ移動可能に係入する切込み９１６及び切込み９１３ａ，９１３ｂが形成されている。さらに、用紙収納箱９をカセット本体７に装着したときに、カセット本体７内における用紙収納箱９の位置決めを行う２つの突起９１４，９１５が開口部９１２の両側に形成されている。
【００３８】
図３に示すように、収納箱本体９１の側壁の１つの中央には拡幅部９１１が形成されている。また、収納箱本体９１の内底面には、押上板９３が軸９３１によって回動自在に取り付けられている。収納箱本体９１の内底面上に押上板９３が設けられると、開口部９１２は押上板９３で覆われるが、切込み９１６及び切込み９１３ａ，９１３ｂは押上板９３には覆われず露出している。
【００３９】
ガイド部材９２の収納箱本体９１への取り付けは、ガイド部材９２の基板部９２１と側板部９２２ａ，９２２ｂとが収納箱本体９１の３つの側壁の内側にそれぞれ沿うように取り付ける。このとき、ガイド部材９２のレバー部９４は収納箱本体９１の拡幅部９１１に収納される。レバー部９４と拡幅部９１１の内側壁との間には隙間があり、レバー部９４は基板部９２１に対して外方に移動可能となる。また、レバー部９４の突出部９４２及び側板部９２２ａ，９２２ｂの先端の突出部９２４ａ，９２４ｂは、切込み９１６及び切込み９１３ａ，９１３ｂに移動可能に入り込む。
【００４０】
図５に示すように、このような構成の用紙収納箱９において、ガイド部材９２のレバー部９４に外方に移動させると、収納箱本体９１が拡幅する角部において、基板部９２１の、レバー部９４を挟んで両側部が収納箱本体９１と点接触し、ここを支点として、基板部９２１の、レバー部９４を挟んで両側部とそれに連続する側板部９２２ａ，９２２ｂとが互いに内方に回動する。そして、レバー部９４に加わっていた力を解除すると、ガイド部材９２はその復元力によって元の状態に戻る。したがって、レバー部９４に対する力の付加と解除とが連続して行われると、側板部９２２ａ，９２２ｂの先端部が揺動し、用紙収納箱９内の用紙Ｐの端部が揃えられる。また、図６に示すような、用紙収納箱からはみ出た用紙Ｐも用紙収納箱９内に移動し収納される。
【００４１】
なお、側板部９２２ａ，９２２ｂの先端部の揺動距離は、通常、数ｍｍ程度で足りる。先端部の揺動距離は、レバー部９４の移動距離と支点（収納箱本体９１が拡幅する角部）の位置によって調整される。
【００４２】
以上説明した実施形態では、レバー部９４が移動することによって、収納箱本体９１が拡幅する角部において、基板部９２１の、レバー部９４を挟んで両側部が収納箱本体９１と点接触するようになるが、通常状態から、基板部９２１の、レバー部９４を挟んで両側部が収納箱本体９１と点接触するようにしてもよい。例えば、図７に示すように、収納箱本体９１の、ガイド部材９２の基板部９２１と対向する側壁内側の、レバー部９４ａを挟んだ両側の位置にリブ９１７ａ，９１７ｂを設けて、レバー部９４ａを挟んで両側部が、レバー部９４を移動させる前の通常状態から収納箱本体９１と点接触するようにしてもよい。このとき、リブ９１７ａ，９１７ｂの高さをレバー部９４ａの移動距離以上とすれば、収納箱本体９１に拡幅部９１１を形成する必要はない。
【００４３】
次に、用紙収納箱９のカセット本体７への取り付けについて説明する。図８に、給紙カセットＣの組立斜視図を示す。上面開口の直方体状のカセット本体７は、その底面に、軸７２により回動自在の押上レバー７１と、押上レバー７１を挟んで両側に形成された、中心に円柱状の穴７３１が形成された突起７３及び長穴７４１が形成された突起７４と、突起７３，７４のさらに両側に形成された切込み７５ａ，７５ｂと、底面の略中央に形成された開口部７６とを有する。
【００４４】
用紙収納箱９は、用紙収納箱９の底面に形成された突起９１４，９１５がカセット本体７の穴７３１及び長穴７４１に係入することによって、位置決めされた状態でカセット本体７に装着される。用紙収納箱９がカセット本体７に装着されると、用紙収納箱９の底面から突出しているレバー部９４の突出部９４２はカセット本体７の開口部７６に入り込む。また、用紙収納箱９の底面から突出している側板部９２２ａ，９２２ｂの突出部９２４ａ，９２４ｂは、カセット本体７に形成された切込み７５ａ，７５ｂにそれぞれ係入して位置決め固定される。これにより、ガイド部材９２の用紙Ｐとの不必要な接触が防止され用紙収納箱９内の用紙Ｐが安定する。
【００４５】
また、用紙収納箱９がカセット本体７に装着されると、用紙収納箱９の開口部９１２はカセット本体７の押上レバー７１の上方対向位置となる。給紙カセットＣが画像形成装置の装置本体６に装着されると、不図示の機構によって軸７２を中心として押上レバー７１が上方に回転する。そして、押上レバー７１は用紙収納箱９の開口部９１２を通って押上板９３（図３のように用紙収納箱の底部に回動可能に配置されている）に当接し、図９に示すように、押上板９３を軸９３１を中心として上方に回転させる。これにより、図１に示すように、押上板９３上に積載された用紙Ｐがピックアップローラ８３に当接し、ピックアップローラ８３の回転によって最上の用紙から順に給紙ローラ８１と捌きローラ８２とのニップ部に引き出される。
【００４６】
本発明の用紙収納箱９及び給紙カセットＣは、例えば、次のようにして使用することが推奨される。すなわち、本発明の用紙収納箱を少なくとも２個用意し、一つはカセット本体７の装着して使用する。そして、残りは画像形成装置Ｄの周辺に配置し、一方面側に画像形成がなされ不要となった用紙を回収収納する。給紙カセットＣ内の用紙収納箱９の用紙が無くなると、空になった用紙収納箱９をカセット本体７から取り外し、回収用紙が収納された用紙収納箱９をカセット本体７に装着する。このとき、装着する用紙収納箱９内の回収用紙は、無造作に用紙収納箱に入れられていることが多いため、用紙収納箱９のカセット本体７への装着前及び／又は装着後に、ガイド部材９２のレバー部９４を基板部９２１に対して外方向に断続的に移動させて、用紙収納箱９からはみ出た用紙Ｐを用紙収納箱内に移動させると共に、用紙収納箱内回収された用紙Ｐの端部を揃えるようにする。もちろん、１つの用紙収納箱９を用いて、用紙収納箱９の用紙が空になる度に用紙収納箱９に用紙を補給し、ガイド部材９２のレバー部９４を移動させて、補給した用紙の端部を揃えるようにしても構わない。
【００４７】
以上説明した実施形態では、レバー部９４をガイド部材９２に１つ設けていたが、レバー部９４はガイド部材９２に２つ以上設けても構わない。また、ガイド部材９２のレバー部９４の移動は使用者が行ってもよいし、給紙カセットＣを装置本体６に装着する際あるいは装着後に自動的に行うようにしてもよい。
【産業上の利用可能性】
【００４８】
本発明の用紙収納箱９では、コ字状のガイド部材９２の基板部９２１に形成されたレバー部９４を外方に移動させると、基板部９２１の収納箱本体９１との接触点を支点として側板部９２２ａ，９２２ｂの先端部が互いに内方に回動するので、装置の大型化及び複雑化を招くことなく、入りきっていない用紙Ｐを用紙収納箱９内に収納することができ、また用紙端部を揃えることができ有用である。さらに、用紙収納箱９をそのままカセット本体７に装着できるので、従来のような回収箱から給紙カセットに用紙を移し替える作業が不要となる。
【符号の説明】
【００４９】
７    カセット本体
９    用紙収納箱
Ｃ    給紙カセット
Ｄ    画像形成装置
９１    収納箱本体
９２    ガイド部材
９４    レバー部
７３１    穴
７４１    長穴
９２１    基板部
９２２ａ，９２２ｂ    側板部
９２３ａ，９２３ｂ    案内部
９２５ａ，９２５ｂ    弾性部材
９１４，９１５    突起
９２４ａ，９２４ｂ    突出部
９１３ａ，９１３ｂ    切込み
【図１】
2014205568.tif 000003
【図２】
2014205568.tif 000004
【図３】
2014205568.tif 000005
【図４】
2014205568.tif 000006
【図５】
2014205568.tif 000007
【図６】
2014205568.tif 000008
【図７】
2014205568.tif 000009
【図８】
2014205568.tif 000010
【図９】
2014205568.tif 000011